(57)【要約】  【課題】  コンテンツデータの各属性についてイニシャルごとにリストを作成した際に、書くリストに含まれるコンテンツデータの個数に応じてグループ化を行い、表示する電子機器、表示処理方法及びプログラムを提供する。  【解決手段】  ＣＰＵ１４は、Ｎ番目のイニシャルを有するコンテンツの数が第１のしきい値以上のときＮ番目のイニシャルを有するコンテンツを複数のグループに分け、リストを作成しＬＣＤパネル１３に表示する。Ｎ番目とＮ＋１番目のイニシャルを有するコンテンツの数が第２のしきい値以上のとき、Ｎ番目とＮ＋１番目のイニシャルを有するコンテンツを１つのグループにまとめ、リストを作成しＬＣＤパネル１４に表示する。【選択図】  図１
2007058251.tif 000002
【特許請求の範囲】
【請求項１】
複数のコンテンツデータと前記コンテンツデータに関する属性データとを記録する記録手段と、
前記記録手段が記録したコンテンツデータのコンテンツデータ保持数を確認するコンテンツデータ保持数確認手段と、
前記コンテンツデータ保持数確認手段が確認した前記コンテンツデータ保持数に基づいて、前記コンテンツデータをその前記属性データを基に分類するための複数のグループを規定し、前記コンテンツデータをその前記属性データを基づいて前記複数のグループの何れかに分類したリストを生成する制御手段と
を有する電子機器。
【請求項２】
前記制御手段は、前記コンテンツデータが各々有する複数の前記属性データを基に、同一属性データを有する前記コンテンツデータによって第１のグループ分けを行い、前記第１の各グループに属するコンテンツデータの数に応じて第２のグループ分けを行い、更に前記第２のグループ分けに従って前記コンテンツデータのリストを生成する
請求項１に記載の電子機器。
【請求項３】
前記制御手段は、前記第１のグループのうち複数のグループに属するコンテンツデータの数の合計が所定の第１のしきい値以下である場合に、前記第１のグループのうちの前記複数のグループを１つにまとめて前記第２のグループ化を行い、リストを生成する
請求項２に記載の電子機器。
【請求項４】
前記制御手段は、前記第１のグループのうちの１つのグループに属するコンテンツデータの数が所定の第２のしきい値以上である場合に、前記第１のグループのうちの前記１つのグループを複数のグループに分けて前記第２のグループ化を行い、リストを生成する
請求項３に記載の電子機器。
【請求項５】
前記制御手段は、前記同一属性を有する前記コンテンツデータのリストを前記第１のグループ分けによるグループごとにあらかじめ生成する
請求項４に記載の電子機器。
【請求項６】
前記制御手段は、前記コンテンツデータの有する属性データのイニシャルを基に前記第１のグループ分けを行い、各グループに属するコンテンツデータの数がほぼ均一になるように前記第２のグループ分けを行う
請求項１に記載の電子機器。
【請求項７】
前記制御手段は、前記各グループに属するコンテンツデータの数がほぼ均一になるように、前記第２のグループ分けにおいて分けるグループに属する前記コンテンツデータの前記属性データのイニシャルの数を決定する
請求項６に記載の電子機器。
【請求項８】
前記制御手段は、前記コンテンツデータの有する属性データのイニシャルを基に前記第１のグループ分けを行い、各グループを構成する前記イニシャルの数がほぼ均一になるように前記第２のグループ分けを行う
請求項１に記載の電子機器。
【請求項９】
複数のコンテンツデータと前記コンテンツデータに関する属性データとを記録する記録手段と、
前記属性データに基づくリストを表示する表示手段と、
前記記録手段に記録されているコンテンツデータのコンテンツデータ数に基づいて分割された複数のグループからなるリストを、グループ単位で前記表示手段に表示させる制御手段と
を有する電子機器。
【請求項１０】
前記制御手段は、前記リストのグループを前記表示手段に表示させる際に、表示されているグループの前後のグループの有する属性データを前記リストと同時に前記ディスプレイに表示する
請求項９に記載の電子機器。
【請求項１１】
複数のコンテンツデータと前記コンテンツデータに関する属性データとを記録する記録手段と、
前記記録手段が記録したコンテンツデータのコンテンツデータ保持数を確認するコンテンツデータ保持数確認手段と、
前記コンテンツデータ保持数確認手段が確認した前記コンテンツデータ保持数に基づいて、前記コンテンツデータをその前記属性データを基に分類するための複数のグループを規定し、前記コンテンツデータをその前記属性データを基づいて、前記複数のグループの何れかに分類したリストを生成する第１のモードと、前記コンテンツデータをその前記属性データを基づいて、予め固定して決められた複数のグループの何れかに分類したリストを生成する第２のモードとを有し、前記第１のモードおよび前記第２のモードのうち指定されたモードに基づいて前記リストを生成する制御手段と
を有する電子機器。
【請求項１２】
前記制御手段は、前記属性データが示す属性名の構成要素あるいは言語構成を基に前記リストを生成する
請求項１１に記載の電子機器。
【請求項１３】
複数のコンテンツデータと前記コンテンツデータに関する属性データとを記録し前記コンテンツデータを再生する電子機器の表示処理方法であって、
前記記録手段が記録したコンテンツデータのコンテンツデータ保持数を確認する第１の工程と、
前記コンテンツデータ保持数に基づいて前記リストを複数のグループに分割して前記属性データに基づくリストを生成する第２の工程と
を有する表示処理方法。
【請求項１４】
複数のコンテンツデータと前記コンテンツデータに関する属性データとを記録手段に記録し前記コンテンツデータを再生する電子機器の表示処理方法であって、
前記属性データに基づくリストを表示する際に、前記記録手段に記録されているコンテンツデータのコンテンツデータ数に基づいて分割された複数のグループからなるリストを、グループ単位で表示する工程
を有する表示処理方法。
【請求項１５】
記録手段に記録されたコンテンツデータのコンテンツデータ保持数を確認する第１の工程と、
前記第１の工程で確認した前記コンテンツデータ保持数に基づいて、前記コンテンツデータをその前記属性データを基に分類するための複数のグループを規定し、前記コンテンツデータをその前記属性データを基づいて、前記複数のグループの何れかに分類したリストを生成する第１のモードと、前記コンテンツデータをその前記属性データを基づいて、予め固定して決められた複数のグループの何れかに分類したリストを生成する第２のモードとを有し、前記第１のモードおよび前記第２のモードのうち指定されたモードに基づいて前記リストを生成する第２の工程と
を有する表示処理方法。
【請求項１６】
複数のコンテンツデータと前記コンテンツデータに関する属性データとを記録し前記コンテンツデータを再生する電子機器が実行するプログラムであって、
前記記録手段が記録したコンテンツデータのコンテンツデータ保持数を確認する第１の手順と、
前記コンテンツデータ保持数に基づいて前記リストを複数のグループに分割して前記属性データに基づくリストを生成する第２の手順と
を前記電子機器に実行させるプログラム。
【請求項１７】
複数のコンテンツデータと前記コンテンツデータに関する属性データとを記録し前記コンテンツデータを再生する電子機器が実行するプログラムであって、
前記属性データに基づくリストを表示する際に、前記記録手段に記録されているコンテンツデータのコンテンツデータ数に基づいて分割された複数のグループからなるリストを、グループ単位で表示する手順
を前記電子機器に実行させるプログラム。
【発明の詳細な説明】
【技術分野】
【０００１】
本発明は、コンテンツデータをその属性を基にグループ分けして表示する電子機器、表示処理方法及びプログラムに関する。
【背景技術】
【０００２】
近年、記録メディアの大容量化、並びに音楽、動画、静止画等の圧縮技術の発達により、携帯型再生装置などのコンピュータ内の記録メディアに膨大な数のコンテンツデータを記憶できる。
このように記録メディアに記憶できるコンテンツデータの数が増えるに従い、ユーザが希望するコンテンツデータを画面上で効率的に検索して表示するシステムが必要である。
このようなシステムとしては、例えば、コンテンツデータのトラック名、アルバム名、アーティスト名等の属性データを、そのイニシャルを基に検索するものがある。
例えば、アーティスト名で検索を行う場合に、先ず、ユーザは、アーティスト名によってアルファベット順・五十音順に並んだリストの中から、目的のアーティスト名を探し出す。
【０００３】
しかし、上述した従来技術では、ある特定のイニシャルの属性データのアイテム（内容）の数が極端に多い場合、或いは、イニシャルによってアイテムの数に大きなばらつきがある場合に、ユーザが目的のアイテムになかなか辿り着けない、という不利益があった。
【０００４】
【特許文献１】特開２００１−７６４１５号公報
【発明の開示】
【発明が解決しようとする課題】
【０００５】
本発明は上述した従来技術の不利益を解消するために、コンテンツデータの各属性についてイニシャルごとにリストを作成した際に、各リストに含まれるコンテンツデータの個数に応じてグループ化を行い、表示する電子機器、表示処理方法及びプログラムを提供することを目的とする。
【課題を解決するための手段】
【０００６】
上述した不利益を解消するために、第１の観点の発明の電子機器は、複数のコンテンツデータと前記コンテンツデータに関する属性データとを記録する記録手段と、前記記録手段が記録したコンテンツデータのコンテンツデータ保持数を確認するコンテンツデータ保持数確認手段と、前記コンテンツデータ保持数確認手段が確認した前記コンテンツデータ保持数に基づいて、前記コンテンツデータをその前記属性データを基に分類するための複数のグループを規定し、前記コンテンツデータをその前記属性データを基づいて前記複数のグループの何れかに分類したリストを生成する制御手段とを有する。
【０００７】
第２の観点の発明の電子機器は、複数のコンテンツデータと前記コンテンツデータに関する属性データとを記録する記録手段と、前記属性データに基づくリストを表示する表示手段と、前記記録手段に記録されているコンテンツデータのコンテンツデータ数に基づいて分割された複数のグループからなるリストを、グループ単位で前記表示手段に表示させる制御手段とを有する。
【０００８】
第３の観点の発明の電子機器は、複数のコンテンツデータと前記コンテンツデータに関する属性データとを記録する記録手段と、前記記録手段が記録したコンテンツデータのコンテンツデータ保持数を確認するコンテンツデータ保持数確認手段と、前記コンテンツデータ保持数確認手段が確認した前記コンテンツデータ保持数に基づいて、前記コンテンツデータをその前記属性データを基に分類するための複数のグループを規定し、前記コンテンツデータをその前記属性データを基づいて、前記複数のグループの何れかに分類したリストを生成する第１のモードと、前記コンテンツデータをその前記属性データを基づいて、予め固定して決められた複数のグループの何れかに分類したリストを生成する第２のモードとを有し、前記第１のモードおよび前記第２のモードのうち指定されたモードに基づいて前記リストを生成する制御手段とを有する。
【０００９】
第４の観点の発明の表示処理方法は、複数のコンテンツデータと前記コンテンツデータに関する属性データとを記録し前記コンテンツデータを再生する電子機器の表示処理方法であって、前記記録手段が記録したコンテンツデータのコンテンツデータ保持数を確認する第１の工程と、前記コンテンツデータ保持数に基づいて前記リストを複数のグループに分割して前記属性データに基づくリストを生成する第２の工程とを有する。
【００１０】
第５の観点の発明の表示処理方法は、複数のコンテンツデータと前記コンテンツデータに関する属性データとを記録手段に記録し前記コンテンツデータを再生する電子機器の表示処理方法であって、前記属性データに基づくリストを表示する際に、前記記録手段に記録されているコンテンツデータのコンテンツデータ数に基づいて分割された複数のグループからなるリストを、グループ単位で表示する工程を有する。
【００１１】
第６の観点の方法の表示処理方法は、記録手段に記録されたコンテンツデータのコンテンツデータ保持数を確認する第１の工程と、前記第１の工程で確認した前記コンテンツデータ保持数に基づいて、前記コンテンツデータをその前記属性データを基に分類するための複数のグループを規定し、前記コンテンツデータをその前記属性データを基づいて、前記複数のグループの何れかに分類したリストを生成する第１のモードと、前記コンテンツデータをその前記属性データを基づいて、予め固定して決められた複数のグループの何れかに分類したリストを生成する第２のモードとを有し、前記第１のモードおよび前記第２のモードのうち指定されたモードに基づいて前記リストを生成する第２の工程とを有する。
【００１２】
第７の観点の方法のプログラムは、複数のコンテンツデータと前記コンテンツデータに関する属性データとを記録し前記コンテンツデータを再生する電子機器が実行するプログラムであって、前記記録手段が記録したコンテンツデータのコンテンツデータ保持数を確認する第１の手順と、前記コンテンツデータ保持数に基づいて前記リストを複数のグループに分割して前記属性データに基づくリストを生成する第２の手順とを前記電子機器に実行させる。
【００１３】
第８の観点の方法のプログラムは、複数のコンテンツデータと前記コンテンツデータに関する属性データとを記録し前記コンテンツデータを再生する電子機器が実行するプログラムであって、前記属性データに基づくリストを表示する際に、前記記録手段に記録されているコンテンツデータのコンテンツデータ数に基づいて分割された複数のグループからなるリストを、グループ単位で表示する手順を前記電子機器に実行させる。
【発明の効果】
【００１４】
本発明によれば、コンテンツデータの各属性についてイニシャルごとにリストを作成した際に、各リストに含まれるコンテンツデータの個数に応じてグループ化を行い、表示する電子機器、表示処理方法及びプログラムを提供することができる。
【発明を実施するための最良の形態】
【００１５】
＜第１実施形態＞
以下、本発明の実施形態に係わる携帯型オーディオプレーヤについて説明する。
本実施形態の属性は本発明の属性データの一例であり、本実施形態の楽曲データは本発明のコンテンツデータの一例であり、本実施形態のしきい値Ｙは本発明の第１のしきい値の一例であり、本実施形態のしきい値αは本発明の第２のしきい値の一例であり、本実施形態のＬＣＤパネル１３は本発明の表示手段の一例であり、本実施形態のＣＰＵ１４は本発明の制御手段の一例であり、本実施形態のプログラムＰＲＧは本発明のプログラムの一例である。
【００１６】
図１は、本発明の実施形態に係わる携帯型オーディオプレーヤ１の全体構成図である。
図１に示すように、携帯型オーディオプレーヤ１は、例えば、ヘッドホン端子１１、オーディオ再生装置１２、ＬＣＤパネル１３、ＣＰＵ（Central Processing Unit）１４、入力デバイス１５、ＳＤＲＡＭ（Synchronous Dynamic Random Access Memory）１６、フラッシュメモリ１７及びＨＤＤ（Hard Disk Drive）１８を有し、上述した各構成要素は、例えばデータ線１０を介して接続されている。
【００１７】
オーディオ再生装置１２は、ＣＰＵ１４が復号した楽曲データをオーディオ信号の形で出力し、ヘッドホン端子１１を介して楽曲を再生する。
ＬＣＤパネル１３は、例えば、携帯型オーディオプレーヤ１の筐体の正面に設けられ、ＣＰＵ１４によって様々な画面が表示される。
ＬＣＤパネル１３に表示される主な画面としては、例えば、メニュー画面、曲検索画面、設定画面、再生画面及び再生履歴画面などがあり、ユーザの入力デバイス１５を介した操作によりこれらの画面が切り替わる。
またＬＣＤパネル１３は、例えば、タッチパネルを有し、ユーザが指等によって接触した画面上の位置を検出し、その位置を示す検出位置信号をＣＰＵ１４に出力する。
【００１８】
入力デバイス１５は、図２に示すように、携帯型オーディオプレーヤ１の筐体に設けられ、ユーザによって操作される種々のキーである。
図２は、携帯型オーディオプレーヤ１の筐体の側面及び正面の一例を示す図である。
図２（Ａ）及び図２（Ｃ）は携帯型オーディオプレーヤ１の側面の一例を示す図である。
図２（Ｂ）は携帯型オーディオプレーヤ１の正面の一例を示す図である。
【００１９】
図２（Ａ）に示すように、携帯型オーディオプレーヤ１の側面にはヘッドホン端子１１とＨＯＬＤキー２２が配設されている。
図２（Ｂ）に示すように、携帯型オーディオプレーヤ１の正面にはＬＣＤパネル１３、十字キー２７、ＢＡＣＫキー２８、ＶＩＥＷキー２９及びＭＥＮＵキー３０が配設されている。
十字キー２７は、十字上キー２７ａ、十字左キー２７ｂ、十字下キー２７ｃ、十字右キー２７ｄ及びＥＮＴＥＲ（決定）キー２７ｅからなる。
図２（Ｃ）に示すように、携帯型オーディオプレーヤ１の側面には巻き戻しキー２４、再生・一時停止キー２５、早送りキー２６及び音量調節ダイヤル２３が配設されている。
ＳＤＲＡＭ１６は、ＣＰＵ１４の処理に係わるデータ等を一時的に記憶する。
フラッシュメモリ１７は、例えば、ＣＰＵ１４の動作を規定するプログラムＰＲＧを記憶する。
【００２０】
ＨＤＤ１８は、例えば数ＧＢ〜数十ＧＢの記憶容量を有し、種々の圧縮方法で圧縮された、或いは非圧縮の楽曲データ等のコンテンツデータを記憶する。
また、ＨＤＤ１８は、この携帯型オーディオプレーヤ１と接続するパーソナルコンピュータ上のアプリケーションソフト又はＣＰＵ１４が作成した、種々のプレイリストを保存する。
【００２１】
ＣＰＵ１４は、フラッシュメモリ１７から読み出したプログラムＰＲＧに基づき、本実施形態の携帯型オーディオプレーヤ１の動作を統括的に制御する。
また、ＣＰＵ１４は、ユーザによって選択された楽曲データを復号し、オーディオ再生装置１２に出力する。
【００２２】
ＣＰＵ１４は、例えば図３に示すメインメニュー画面ＤＩＳＰ１をＬＣＤパネル１３に表示する。
メインメニュー画面ＤＩＳＰ１は、例えば、プレイモードアイコン、お気に入りリスト表示アイコン、シャッフルモードアイコン、イニシャルサーチアイコン、ミュージックライブラリアイコン、再生履歴アイコン、イコライザアイコン、設定アイコン等を有する。
ＣＰＵ１４は、ユーザの入力デバイス１５或いはＬＣＤパネル１３のタッチパネルを介した入力により、メインメニュー画面ＤＩＳＰ１から、各アイコンに対応した画面に切り替える。
図３の白黒反転したアイコンは、入力デバイス１５によって現在選択されているアイコンを意味し、十字キー２７ａ〜２７ｄの入力に対応して移動し、ＥＮＴＥＲキー２７ｅによって反転したアイコンが選択される。また、アイコンを選択する操作はＬＣＤパネル１３のタッチパネルを介して、指等で直接押すことによっても可能である。このような操作方法は、以下の各画面についても同様である。
以下、メインメニュー画面ＤＩＳＰ１においてミュージックライブラリアイコンが選択された場合について説明する。
【００２３】
ミュージックライブラリアイコンが選択されると、ＣＰＵ１４は、ＬＣＤパネル１３にリスト選択画面ＤＩＳＰ２を表示する。
図４は、リスト選択画面ＤＩＳＰ２の一例を示す図である。
リスト選択画面ＤＩＳＰ２は、例えば、すべての楽曲データを１つのリストとして表示するＡｌｌ Ｓｏｎｇｓ、アルバムのリストを表示するＡｌｂｕｍｓ、アーティストのリストを表示するＡｒｔｉｓｔｓ、ジャンルのリストを表示するＧｅｎｒｅｓ、レーティング（点数付け）による選択を行うＲａｔｉｎｇ、リリースされた年によって分類されたリストを表示するＹｅａｒ  ｏｆ  Ｒｅｌｅａｓｅ、最近ＨＤＤ１８に記憶された楽曲データのリストを表示するＮｅｗ  Ｔｒａｃｋｓ等を有する。
ＣＰＵ１４は、ユーザの入力デバイス１５或いはＬＣＤパネル１３のタッチパネルを介した入力に基づいて、リスト選択画面ＤＩＳＰ２の各候補に対応した画面を表示する。
【００２４】
リスト選択画面ＤＩＳＰ２においてＡｌｌ  Ｓｏｎｇｓが選択された場合、ＣＰＵ１４はＬＣＤパネル１３に図５に示すような全楽曲リスト画面ＤＩＳＰ３を表示する。
全楽曲リスト画面ＤＩＳＰ３において楽曲が選択されると、図１２の楽曲再生画面ＤＩＳＰ２０が表示され、ＣＰＵ１４は選択された楽曲を復号してオーディオ再生装置１２に送り、オーディオ再生装置１２が再生してヘッドホン端子１１から出力する。
【００２５】
リスト選択画面ＤＩＳＰ２においてＡｌｂｕｍｓが選択された場合、ＣＰＵ１４はＬＣＤパネル１３に図６に示すような全アルバムリスト画面ＤＩＳＰ４を表示する。
全アルバムリスト画面ＤＩＳＰ４においてアルバムが選択されると、ＣＰＵ１４は、ＬＣＤパネル１３に、選択されたアルバムに収録されているトラックリスト画面ＤＩＳＰ５を表示する。トラックリスト画面ＤＩＳＰ５において楽曲が選択されると、図１２の楽曲再生画面ＤＩＳＰ２０が表示され、ＣＰＵ１４は選択された楽曲を復号してオーディオ再生装置１２に送り、オーディオ再生装置１２が再生してヘッドホン端子１１から出力する。
【００２６】
リスト選択画面ＤＩＳＰ２においてＡｒｔｉｓｔｓが選択された場合、ＣＰＵ１４はＬＣＤパネル１３に図７に示すような全アーティストリスト画面ＤＩＳＰ６を表示する。
全アーティストリスト画面ＤＩＳＰ６においてアーティストが選択されると、ＣＰＵ１４は、ＬＣＤパネル１３にそのアーティストのアルバムリスト画面ＤＩＳＰ７を表示する。アルバムリスト画面ＤＩＳＰ７においてアルバムが選択されると、ＣＰＵ１４は、ＬＣＤパネル１３にトラックリスト画面ＤＩＳＰ８を表示する。トラックリスト画面ＤＩＳＰ８において楽曲が選択されると、図１２の楽曲再生画面ＤＩＳＰ２０が表示され、ＣＰＵ１４は選択された楽曲を復号してオーディオ再生装置１２に送り、オーディオ再生装置１２が再生してヘッドホン端子１１から出力する。
【００２７】
リスト選択画面ＤＩＳＰ２においてＧｅｎｒｅｓが選択された場合、ＣＰＵ１４はＬＣＤパネル１３に図８に示すような全ジャンルリスト画面ＤＩＳＰ９を表示する。
全ジャンルリスト画面ＤＩＳＰ９においてジャンルが選択されると、ＣＰＵ１４は、ＬＣＤパネル１３にそのジャンルのアーティストリスト画面ＤＩＳＰ１０を表示する。アーティストリスト画面ＤＩＳＰ１０においてアーティストが選択されると、ＣＰＵ１４は、ＬＣＤパネル１３にアルバムリスト画面ＤＩＳＰ１１を表示する。アルバムリスト画面ＤＩＳＰ１１においてアルバムが選択されると、ＣＰＵ１４は、ＬＣＤパネル１３にトラックリスト画面ＤＩＳＰ１２を表示する。トラックリスト画面ＤＩＳＰ１２において楽曲が選択されると、図１２の楽曲再生画面ＤＩＳＰ２０が表示され、ＣＰＵ１４は選択された楽曲を復号してオーディオ再生装置１２に送り、オーディオ再生装置１２が再生してヘッドホン端子１１から出力する。
【００２８】
リスト選択画面ＤＩＳＰ２においてＲａｔｉｎｇが選択された場合、ＣＰＵ１４はＬＣＤパネル１３に図９に示すようなレーティング選択画面ＤＩＳＰ１３を表示する。
レーティング選択画面ＤＩＳＰ１３においてレーティングの点数（図９では★の数で表される）が選択されると、ＣＰＵ１４は、ＬＣＤパネル１３に該当する点数を有する楽曲リスト画面ＤＩＳＰ１４を表示する。ここで、レーティングの点数は、ユーザによってあらかじめ付けられた点数、または再生回数等によって携帯型オーディオプレーヤ１及び接続されるパーソナルコンピュータのアプリケーションソフト等によって自動で付けられた点数である。楽曲リスト画面ＤＩＳＰ１４において楽曲が選択されると、図１２の楽曲再生画面ＤＩＳＰ２０が表示され、ＣＰＵ１４は選択された楽曲を復号してオーディオ再生装置１２に送り、オーディオ再生装置１２が再生してヘッドホン端子１１から出力する。
【００２９】
リスト選択画面ＤＩＳＰ２においてＹｅａｒ  ｏｆ  Ｒｅｌｅａｓｅが選択された場合、ＣＰＵ１４はＬＣＤパネル１３に図１０に示すような年選択画面ＤＩＳＰ１５を表示する。
年選択画面ＤＩＳＰ１５において年が選択されると、ＣＰＵ１４は、ＬＣＤパネル１３に、その年に楽曲をリリースしたアーティストのリスト、アーティストリスト画面ＤＩＳＰ１６を表示する。アーティストリスト画面ＤＩＳＰ１６においてアーティストが選択されると、ＣＰＵ１４は、ＬＣＤパネル１３にトラックリスト画面ＤＩＳＰ１７を表示する。トラックリスト画面ＤＩＳＰ１７において楽曲が選択されると、図１２の楽曲再生画面ＤＩＳＰ２０が表示され、ＣＰＵ１４は選択された楽曲を復号してオーディオ再生装置１２に送り、オーディオ再生装置１２が再生してヘッドホン端子１１から出力する。
【００３０】
リスト選択画面ＤＩＳＰ２においてＮｅｗ  Ｔｒａｃｋｓが選択された場合、ＣＰＵ１４はＬＣＤパネル１３に図１１に示すような最近追加されたアルバムリスト画面ＤＩＳＰ１８を表示する。
最近追加されたアルバムリスト画面ＤＩＳＰ１８においてアルバムが選択されると、ＣＰＵ１４は、ＬＣＤパネル１３にトラックリスト画面ＤＩＳＰ１９を表示する。トラックリスト画面ＤＩＳＰ１９において楽曲が選択されると、図１２の楽曲再生画面ＤＩＳＰ２０が表示され、ＣＰＵ１４は選択された楽曲を復号してオーディオ再生装置１２に送り、オーディオ再生装置１２が再生してヘッドホン端子１１から出力する。
【００３１】
ＬＣＤパネル１３に表示される操作画面は、上述したように遷移する。
上述したように各画面はＥＮＴＥＲキー２７ｅ或いはタッチパネルによる入力に基づいて遷移するが、この操作は可逆の操作であり、ＢＡＣＫキー２８による入力に基づいて直前の画面に戻ることが可能である。
【００３２】
更に、楽曲再生画面ＤＩＳＰ２０において、図１３のように、十字上下キー２７ａ及び２７ｃによる入力に基づいてカーソルが移動する。更に、ＥＮＴＥＲキー２７ｅによる入力に応じて、例えば、アルバム名を選択すればトラックリスト画面ＤＩＳＰ５が、アーティスト名を選択すればそのアーティストのアルバムリスト画面ＤＩＳＰ７が、ジャンル名を選択すればそのジャンルのアーティストリスト画面ＤＩＳＰ１０が、レーティングの点数を選択すればレーティング選択画面ＤＩＳＰ１３が、年を選択すればアーティストリスト画面ＤＩＳＰ１６がそれぞれＬＣＤパネル１３に表示される。
【００３３】
上記説明した各画面の内、全楽曲リスト画面ＤＩＳＰ３、全アルバムリスト画面ＤＩＳＰ４、全アーティストリスト画面ＤＩＳＰ６、楽曲リスト画面ＤＩＳＰ１４、アルバムリスト画面ＤＩＳＰ１８においては、表示するべきリストが大きなものになる恐れが大きいために、各図５〜１１に示すように、ＣＰＵ１４は、それぞれの属性（例えば、楽曲名やアルバム名、アーティスト名等）のイニシャルごとにリストを作成し、表示の際には各イニシャルのリストを十字左右キーの入力によって切り替えるようにする。
【００３４】
図１４は、本実施形態のリスト画面の一例を示す図である。
図１４に示すように、例えば、ＣＰＵ１４は、イニシャルＢを有する楽曲と、イニシャルＣを有する楽曲と、イニシャルＤで始まる楽曲のリストを作成しＬＣＤパネル１３に表示し、十字左右キー２７ｂ、２７ｄによる入力に基づいて各リストを切り替える。
ここで、本実施形態のＣＰＵ１４は、各イニシャルのリストに含まれる楽曲の数に応じて、複数のイニシャルのリストをグループ化する。
図１５は、複数のリストのグループ化の一例である。
図１５に示すように、例えば、イニシャルＥ及びイニシャルＦのリストに含まれる楽曲の数が少ない場合、ＣＰＵ１４はイニシャルＥ及びイニシャルＦのリストをグループ化し、１つの画面に表示する。
【００３５】
次に、リストのグループ化を行う基準について説明する。
図１６は、ＣＰＵ１４がリストのグループ化を行う際のアルゴリズムを示すフローチャートである。
【００３６】
ステップＳＴ１：
ＣＰＵ１４は、属性のイニシャルを記号・数値・アルファベット順・五十音順に並べ替えた際に、先頭から数えてＮ番目のイニシャルを有するコンテンツアイテムのリストを作成する。
ステップＳＴ２：
ＣＰＵ１４は、Ｎ番目のイニシャルのリストに含まれるコンテンツアイテムの個数がＸ個以上であるか否かの判断を行い、Ｘ個以上である時はステップＳＴ７に、そうでない時はステップＳＴ３に進む。
【００３７】
ステップＳＴ３：
ＣＰＵ１４は、Ｎ番目のイニシャルのリストに含まれるコンテンツアイテムの個数とＮ＋１番目のイニシャルのリストに含まれるコンテンツアイテムとの合計の個数がＹ個以上であるか否かの判断を行い、Ｙ個以上である時はステップＳＴ７に、そうでない時はステップＳＴ４に進む。
ステップＳＴ４：
ＣＰＵ１４は、Ｎ番目のイニシャルのリストに含まれるコンテンツアイテムの個数Ｎ＋１番目のイニシャルのリストに含まれるコンテンツアイテム及びＮ＋２番目のイニシャルのリストに含まれるコンテンツアイテムの個数との合計の個数がＺ個以上であるか否かの判断を行い、Ｚ個以上である時はステップＳＴ６に、そうでない時はステップＳＴ５に進む。
【００３８】
ステップＳＴ５：
ＣＰＵ１４は、Ｎ番目とＮ＋１番目とＮ＋２番目のイニシャルのリストに含まれるコンテンツアイテムをグループ化し、Ｎ番目とＮ＋１番目とＮ＋２番目のイニシャルのリストをＬＣＤパネル１３に表示する。更にＣＰＵ１４は次の処理を行うためにステップＳＴ１１に進む。
ステップＳＴ６：
ＣＰＵ１４は、Ｎ番目とＮ＋１番目のイニシャルのリストに含まれるコンテンツアイテムをグループ化し、Ｎ番目とＮ＋１番目のイニシャルのリストをＬＣＤパネル１３に表示する。更にＣＰＵ１４は次の処理を行うためにステップＳＴ１２に進む。
【００３９】
ステップＳＴ７：
ＣＰＵ１４は、Ｎ番目のイニシャルのリストに含まれるコンテンツアイテムの個数がα個以上であるか否かの判断を行い、α個以上である時はステップＳＴ８に、そうでない時はステップＳＴ９に進む。
ステップＳＴ８：
ＣＰＵ１４は、Ｎ番目のイニシャルのリストに含まれるコンテンツアイテムを、例えば、β個ずつの複数のグループに分割し、それぞれを別の画面に表示する。更にＣＰＵ１４は次の処理を行うためにステップＳＴ１０に進む。
【００４０】
ステップＳＴ９：
ＣＰＵ１４は、Ｎ番目のイニシャルのリストに含まれるコンテンツアイテムをそのままＬＣＤパネル１３に表示し、更にステップＳＴ１０に進む。
ステップＳＴ１０：
ＣＰＵ１４は、グループ化されたリストをＬＣＤパネル１３に表示し、Ｎ＋１番目のイニシャルのリストに含まれるコンテンツアイテムに対し、次のグループ化判定を行う。
【００４１】
ステップＳＴ１１：
ＣＰＵ１４は、グループ化されたリストをＬＣＤパネル１３に表示し、Ｎ＋３番目のイニシャルのリストに含まれるコンテンツアイテムに対し、次のグループ化判定を行う。
ステップＳＴ１２：
ＣＰＵ１４は、グループ化されたリストをＬＣＤパネル１３に表示し、Ｎ＋２番目のイニシャルのリストに含まれるコンテンツアイテムに対し、次のグループ化判定を行う。
【００４２】
上述したＸ、Ｙ、Ｚ、αは同じ数でもよいし、異なる数でもよい。
なお、リスト画面に表示された各グループのリストは、先頭と終端が繋がっていてもよいし、特定のイニシャルのリストの終端とその次のイニシャルのリストの先頭とが繋がっていてもよい。すなわち、例えば、図１７に示すように、イニシャルＡのリストの終端の下には何も表示されず、カーソルをリストの一番下から更に下に移動させると、イニシャルＡのリストの先頭にカーソルが飛ぶようにしてもよい。或いは、図１８に示すように、例えば、イニシャルＡのリストの終端の下にイニシャルＢのリストの先頭が表示されるようにしてもよい。
【００４３】
また、本実施形態の携帯型オーディオプレーヤ１では、ステップＳＴ５、ＳＴ６、ＳＴ８及びＳＴ９でグループ化を行い表示する際に新しく各グループのリストを形成するのではなく、上記ステップＳＴ１で説明したように、イニシャルごとにあらかじめリストを作成してＨＤＤ１８にリストデータとして記憶しておき、ステップＳＴ５、ＳＴ６、ＳＴ８及びＳＴ９でグループ化を行い表示する際には、このあらかじめ用意したリストを基に表示を行う。これにより、処理能力が乏しい携帯型オーディオプレーヤ１のＣＰＵ１４でも遅滞無くグループ化を行いリストを表示することができる。
【００４４】
以上説明したように、本実施形態の携帯型オーディオプレーヤ１によれば、メインメニュー画面から再生したい楽曲を探し出すまでの間に表示される特定の画面において、コンテンツデータの各属性についてイニシャルごとにリストを作成した際に、各リストに含まれるコンテンツデータの個数に応じてグループ化を行い、表示することができる。
これにより、大量のリストの中からイニシャルを基に特定のリストアイテムを探し出す際に、アイテムが少ないイニシャルのグループはまとめて表示されるので、特定のリストアイテムを探し出すまでの操作を減らすことができる。
なお、本実施形態ではアルファベットのイニシャルについて説明したが、例えば、日本語や韓国語のリストに対しても本実施形態の携帯型オーディオプレーヤ１は適用できる。日本語や韓国語に適用する場合、例えば、行ごとにグループ分けを行ってもよいし（例えば、「あ行」、「か行」等）、文字ごと（例えば、「あ」、「い」等）にグループ分けを行ってもよい。
また、本実施形態の携帯型オーディオプレーヤ１では、１つのイニシャルを複数のグループに分ける場合と、２つのグループを１つのグループにまとめる場合と、３つのイニシャルを１つのグループにまとめる場合を説明したが、本発明はこれに限定されず、あるイニシャルを有するコンテンツアイテムの数に応じてグループ分けを行えば、グループ分けの仕方は問わない。
更に、本実施形態の携帯型オーディオプレーヤ１では、属性のイニシャルによってグループ化を行ったが、本発明はこれに限定されず、各コンテンツデータに固有のデータであればどれを基にグループ化を行ってもよい。例えば、楽曲の再生時間の長短を基にしてもよいし、楽曲名の文字数の大小を基にしてもよい。
更に、本実施形態の携帯型オーディオプレーヤ１では、楽曲データをコンテンツデータとしたが、本発明はこれに限定されず、静止画像データ、動画像データ等をコンテンツデータとしてもよい。更に、本発明は携帯型オーディオプレーヤにも限定されず、コンテンツデータを記憶し再生を行い、表示機能を有する電子機器ならばどのような機器であってもよい。例えば、ＨＤＤレコーダ等でもよい。
【００４５】
＜第２実施形態＞
第２実施形態の携帯型オーディオプレーヤについて説明する。
本実施形態の携帯型オーディオプレーヤ１ａは、図１に示すように、ＣＰＵ１４ａ及びプログラムＰＲＧａを除いて、携帯型オーディオプレーヤ１と同じ構成を有する。
【００４６】
第１実施形態の携帯型オーディオプレーヤ１では、各グループに属するコンテンツアイテムの数によってグループ分けを行っていたが、第２実施形態の携帯型オーディオプレーヤ１ａでは、イニシャルの数によってグループ分けを行う。
【００４７】
図１９は、イニシャルの数によるグループ分けの一例を示す図である。
図１９の「コンテンツアイテム数」は、ＨＤＤ１８に記憶されている全てのコンテンツアイテムの数である。図１９に示す数字は一例であり、ＣＰＵ１４ａが全体のコンテンツアイテムの数に応じて、或いは、ユーザの任意の操作によって変えることができる。
「１つのグループにまとめられるイニシャル数」は、ＣＰＵ１４ａが、この数ごとにコンテンツアイテムのグループ分けを行うことを示している。
「できるグループ数」は、「１つのグループにまとめられるイニシャル数」に応じてできるグループの数である。
「実際の例」は、実際に「１つのグループにまとめられるイニシャル数」に応じてグループ分けを行った場合の具体例を示している。
【００４８】
図１９に示すように、イニシャルの数によってグループ分けを行う場合、イニシャルに使われるアルファベットの数は２６個なので、できるグループ数を変えた場合に端数ができることがある（例えば、アルファベット全体を３、４、５、７、８個等のグループに分けようとした場合）。
ここで、図１９内のα及びβは、端数を含むグループを示している。
【００４９】
αは、本来まとめられるべきイニシャル数よりも１つ少ないイニシャル数でグループが構成されているセルを示している。
βは、本来まとめられるべきイニシャル数よりも１つ多いイニシャル数でグループが構成されているセルを示している。
【００５０】
各イニシャルに属するコンテンツアイテムの数は、イニシャルによって多い・少ない等の傾向があり、経験的に最も各グループに属するコンテンツアイテム数が均等になるようにグループ分けを試みた結果、図１９に示すような分け方が考案される。
【００５１】
ＣＰＵ１４ａは、図１９に示すように、ＨＤＤ１８に記憶されているコンテンツアイテムの数が少ない場合は、多くのイニシャルを１つのグループとしてまとめ、コンテンツアイテムの数が多い場合には、少ないイニシャルを１つのグループとしてまとめる。
これにより、本実施形態の携帯型オーディオプレーヤ１ａは、目的のコンテンツアイテムを探し出しやすいリストを生成し表示することができる。
【００５２】
以上説明したように、第２実施形態の携帯型オーディオプレーヤ１ａによれば、イニシャルによってコンテンツアイテムをグループ分けし表示するので、容易に所望するコンテンツアイテムを見つけ出すことができる。
＜第３実施形態＞
第３実施形態の携帯型オーディオプレーヤについて説明する。
本実施形態の携帯型オーディオプレーヤ１ｂは、図１に示すように、ＣＰＵ１４ｂ及びプログラムＰＲＧｂを除いて、携帯型オーディオプレーヤ１と同じ構成を有する。
【００５３】
本実施形態のＣＰＵ１４ｂは本発明の制御手段の一例であり、本実施形態のプログラムＰＲＧｂは本発明のプログラムの一例である。
第３実施形態の携帯型オーディオプレーヤ１ｂによれば、イニシャルサーチを行う際に、コンテンツデータの各属性についてイニシャルごとにグループ分けをした際に、各グループの個数に応じて１画面に複数のグループがまとめて表示される場合でも、イニシャルサーチ実行時に、まとめられた複数のグループの先頭のアイテムにカーソルが合った状態で表示されるのではなく、まとめられた複数のグループの内イニシャルサーチを実行したイニシャルを有するグループの先頭にカーソルが合った状態で表示される。
【００５４】
以下携帯型オーディオプレーヤ１ｂの表示するリストについて説明する。
図２０は、本実施形態のイニシャルサーチ画面ＤＩＳＰ２１〜ＤＩＳＰ２４の一例を示す図である。
英数イニシャルサーチ画面ＤＩＳＰ２１は、例えば、図３のメインメニュー画面ＤＩＳＰ１において「Ｉｎｉｔｉａｌ  Ｓｅａｒｃｈ」が選択されることによってＬＣＤパネル１３に表示される。
なお、白黒反転で表したカーソルが十字キー２７ａ〜２７ｄによるユーザの入力に応じて移動するカーソルであり、ＥＮＴＥＲキー２７ｅの入力によって反転した項目が決定・選択される。また、十字キーを用いず、ＬＣＤパネル１３のタッチパネルによって直接指等で選択することも可能である。ユーザの操作に関しては以下も同様である。
【００５５】
英数イニシャルサーチ画面ＤＩＳＰ２１は、言語選択アイコン３１、イニシャル選択アイコン３２及び属性選択アイコン３３を有する。
言語選択アイコン３１には、例えば、「日本語」、「英数字」等があり、それぞれ対応した言語で以下説明するイニシャル選択アイコン３２が表示される。
【００５６】
イニシャル選択アイコン３２は、例えば、言語選択アイコン３１で英数字が選択された場合には、アルファベットＡ〜Ｚ、数字・記号（ＮＵＭ＆Ｓｙｍｂｏｌ）及びＯｔｈｅｒアイコンを有する。
Ｏｔｈｅｒアイコンは、ＨＤＤ１８に記憶されている楽曲リストの内、イニシャルが日本語でも英数字・記号のいずれでもないもの、例えば、韓国語等の楽曲に対応している。
属性選択アイコン３３は、イニシャル選択アイコン３２で選択したイニシャルが、アーティスト名、アルバム名、トラック名の内どの属性のものであるかを決定するアイコンである。
【００５７】
ユーザは、イニシャル選択アイコン３２と属性選択アイコン３３の内どちらを先に選択してもよい。両方が選択されたら、選択されたイニシャルと属性に対応するリスト画面ＤＩＳＰ２２が表示される。
【００５８】
ここで、例えば、アーティスト名のイニシャルＤがユーザの入力によって選択された時、第１実施形態で説明したようにイニシャルＣ及びＤのアーティストのリストがグループ化されていた場合でも、ＣＰＵ１４は、イニシャルＤを有するアーティストリストの先頭のアーティストにカーソルが合った状態でリスト画面ＤＩＳＰ２２をＬＣＤパネル１３に表示させる。
【００５９】
言語選択アイコン３１選択時に日本語が選択された場合、日本語イニシャルサーチ画面ＤＩＳＰ２３がＬＣＤパネル１３に表示される。
「その他」アイコンは、Ｏｔｈｅｒアイコンと同様の機能を有し、ＨＤＤ１８に記憶されている楽曲リストの内、イニシャルが日本語でも英数字・記号のいずれでもないもの、例えば、韓国語等の楽曲に対応している。
日本語イニシャルサーチの場合、イニシャル選択アイコン３２の代わりに、行選択アイコン３４と母音選択アイコン３５によってユーザは選択を行う。
日本語イニシャルサーチ画面ＤＩＳＰ２３では、最初は母音選択アイコン３５は表示されておらず、行選択アイコン３４によって行が選択された後、ＣＰＵ１４は選択された行に対応した母音選択アイコン３５を表示する。
なお、日本語アイコンが選択され日本語イニシャルサーチ画面ＤＩＳＰ２３が表示されている状態でも、言語選択アイコン３１の「英数字」アイコンを押すことによって英数イニシャルサーチ画面ＤＩＳＰ２１を呼び出すことが可能であり、またその逆も可能である。
【００６０】
このとき、一度行選択アイコン３４が選択され母音選択アイコンが表示された状態でも、もう一度行選択アイコン３４を押し、別の行の母音を選択することが可能である。
ユーザは、母音選択アイコン３５と属性選択アイコン３３の内どちらを先に選択してもよい。
両方が選択されたら、選択されたイニシャルと属性に対応するリスト画面ＤＩＳＰ２４が表示される。
【００６１】
ここで、英数字の場合と同様、例えば、アーティスト名のイニシャル「く」がユーザの入力によって選択された時、第１実施形態で説明したように「か」行のイニシャルのアーティストのリストがひとつにグループ化されていた場合でも、ＣＰＵ１４は、「か」行のイニシャルを有するアーティストリストの先頭のアーティストにカーソルが合った状態でリスト画面ＤＩＳＰ２４をＬＣＤパネル１３に表示させる。
【００６２】
なお、例えば、携帯型オーディオプレーヤ１ｂにおいて選択されている言語に応じて、ＣＰＵ１４が自動的に英数イニシャルサーチ画面ＤＩＳＰ２１と日本語イニシャルサーチ画面ＤＩＳＰ２３のいずれを初期表示するかを決定することも可能である。
或いは、例えば、ＨＤＤ１８に記憶されている楽曲が日本語と英数字どちらのイニシャルを多く有するかに応じて、ＣＰＵ１４が自動的に英数イニシャルサーチ画面ＤＩＳＰ２１と日本語イニシャルサーチ画面ＤＩＳＰ２３のいずれを初期表示するかを決定することも可能である。
【００６３】
本実施形態では、日本語イニシャルサーチ画面ＤＩＳＰ２３はイニシャルを選択するために行選択アイコン３４と母音選択アイコン３５を有するが、図２１のように、１音ごとに１つの日本語イニシャル選択アイコン３６を有する日本語イニシャルサーチ画面ＤＩＳＰ２５ａ及び２５ｂを有していてもよい。
この場合、図２１（ａ）の日本語イニシャルサーチ画面ＤＩＳＰ２５ａのように、携帯型オーディオプレーヤ１ｂのデフォルトのフォントでは１画面に五十音全てが入りきらない場合があるため、図２１（ｂ）の日本語イニシャルサーチ画面ＤＩＳＰ２５ｂのように日本語イニシャルサーチ専用の新たなフォントを用意してもよい。
【００６４】
上述したように、第３実施形態の携帯型オーディオプレーヤ１ｂによれば、イニシャルサーチを行う際に、コンテンツデータの各属性についてイニシャルごとにグループ分けをした際に、各グループの個数に応じて１画面に複数のグループがまとめて表示される場合でも、イニシャルサーチ実行時に、まとめられた複数のグループの先頭のアイテムにカーソルが合った状態で表示されるのではなく、まとめられた複数のグループの内イニシャルサーチを実行したイニシャルを有するグループの先頭にカーソルが合った状態で表示されるので、イニシャルサーチ時に分かりやすく、またサーチされたイニシャルを有するリストアイテムから目的のアイテムを探し出すのが簡単になる。
【００６５】
＜第４実施形態＞
第４実施形態の携帯型オーディオプレーヤについて説明する。
本実施形態の携帯型オーディオプレーヤ１ｃは、図１に示すように、ＣＰＵ１４ｃ及びプログラムＰＲＧｃを除いて、携帯型オーディオプレーヤ１と同じ構成を有する。
【００６６】
本実施形態のＣＰＵ１４ｃは本発明の制御手段の一例である。
本実施形態の携帯型オーディオプレーヤ１ｃは、コンテンツデータの各属性データがアルファベット等の場合の第１実施形態において説明したようにイニシャルごとにリストを作成する際に各リストに含まれるコンテンツデータの個数に応じてグループ化を行う方法（第１のモード）と、以下に説明するように、日本語や韓国語等の場合の行毎にリストを生成し表示する方法との２種類のリスト生成方法（第２のモード）とを有し、ＣＰＵ１４ｃは、例えば、ユーザからの切り換え指示に応じて、いずれか一方の方法（モード）を選択して実行する。
【００６７】
図２２は、日本語リスト画面の一例を示す。
図２２に示すように、日本語リスト画面では行単位でリストが表示されており、ＣＰＵ１４ｃは、十字左右キー２７ｂ、２７ｄによる入力に基づいて行単位でリストが切り替える。
すなわち、ＣＰＵ１４ｃは、例えば図２２に示すように現在「さ」行のリストを表示している場合、十字左キー２７ｂの入力により「か」行、十字右キー２７ｄの入力により「た」行のリストに表示を切り替える。
【００６８】
また、ＣＰＵ１４ｃは、十字上下キー２７ａ、ｃによる入力により、リスト内のカーソル（図２２においては黒いバーで示されている）が上下させ、ＥＮＴＥＲキー２７ｅによりカーソルが合っているところを選択・決定することができる。
なお、行と行の境目、例えば「か」行の終わりと「さ」行の始まりにおいては、図２３（ａ）に示すように、ＣＰＵ１４ｃは十字上キー２７ａによる入力に基づいて「さ」行リストから「か」行リストに切り替える。同様に「さ」行の終わりと「た」行の始まりにおいては、図２３（ｂ）に示すように、十字下キー２７ｃによる入力に基づいて「さ」行リストから「た」行リストに切り替える。
【００６９】
次に、図２４に示す韓国語リスト画面について説明する。
韓国語の場合、ＣＰＵ１４ｃは、図２４に示すように、日本語の行に相当する子音毎にリストを生成する。日本語リスト画面と同様に、ＣＰＵ１４ｃは、十字左右キー２７ｂ、２７ｄによる入力に基づいて現在のリストから隣の子音のリストに切り替える。更に、ＣＰＵ１４ｃは、日本語リスト画面と同様、十字上下キー２７ａ、２７ｃによる入力に基づいてカーソルを上下し、ＥＮＴＥＲキー２７ｅによる入力に基づいてカーソルの合ったところを選択・決定する。
【００７０】
更に、本実施形態の携帯型オーディオプレーヤ１ｃは、中国語のリストに対しても適用可能である。例えば、漢字の部首を利用して上述したようなリスト生成を行うことができる。なお、中国語の場合には、ピンインに基づいて、第１実施形態で説明したようなアルファベットによるリストを生成することもできる。
【００７１】
上述した各リスト画面によるリスト表示は、アルバム名、ジャンル名、アーティスト名、楽曲タイトル名等全ての属性のリストに対して適用することができる。
【００７２】
次に、本実施形態の携帯型オーディオプレーヤ１ｃの動作例について説明する。
図２５は、携帯型オーディオプレーヤ１ｃの動作例を示すフローチャートである。
ステップＳＴ１１：
ＣＰＵ１４ｃは、リストを生成するコンテンツの属性データに使用されている言語・文字（アルファベット・数字、日本語、韓国語等）を判別する。
ステップＳＴ１２：
ＣＰＵ１４ｃは、ステップＳＴ１２において判別した属性データの言語・文字が日本語或いは韓国語であった場合ステップＳＴ１４に進み、そうでない場合ステップＳＴ１３に進む。
【００７３】
ステップＳＴ１３：
ＣＰＵ１４ｃは、リストを生成するコンテンツの属性データの言語が日本語或いは韓国語以外であった場合、例えば第１実施形態で説明したような方法でリストを作成する。
ステップＳＴ１４：
ＣＰＵ１４ｃは、リストを生成するコンテンツの属性データの言語が日本語或いは韓国語であった場合、行或いは子音毎にリストを作成する。
【００７４】
以上説明したように、本実施形態の携帯型オーディオプレーヤ１ｃによれば、コンテンツデータの各属性データがアルファベット等の場合の第１実施形態において説明したように、イニシャルごとにリストを作成する際に各リストに含まれるコンテンツデータの個数に応じてグループ化を行う方法（第１のモード）と、日本語や韓国語等の場合の行毎にリストを生成し表示する方法（第２のモード）との２種類のリスト生成方法（モード）を有し、ユーザからの指示に応じて、これらのモードを切り替えて使用することができる。
【００７５】
なお、上述した本発明の実施形態の携帯型オーディオプレーヤ１、１ａ、１ｂ及び１ｃでは、楽曲データをコンテンツデータとしたが、本発明はこれに限定されず、静止画像データ、動画像データ等をコンテンツデータとしてもよい。更に、本発明は携帯型オーディオプレーヤに限定されず、コンテンツデータを記憶し再生を行い、表示機能を有する電子機器ならばどのような機器であってもよい。例えば、携帯電話やＨＤＤレコーダ等でもよい。
【００７６】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【図面の簡単な説明】
【００７７】
【図１】図１は、本発明の実施携帯に係わる携帯型オーディオプレーヤ１の構成図である。
【図２】図２は、携帯型オーディオプレーヤ１の筐体の側面及び正面の一例を示す図である。
【図３】図３は、携帯型オーディオプレーヤ１のメインメニュー画面を示す図である。
【図４】図４は、リスト選択画面ＤＩＳＰ２の一例を示す図である。
【図５】図５は、リスト選択画面ＤＩＳＰ２でＡｌｌ  Ｓｏｎｇｓボタンを選択したときの画面の遷移を示す図である。
【図６】図６は、リスト選択画面ＤＩＳＰ２でＡｌｂｕｍｓを選択したときの画面の遷移を示す図である。
【図７】図７は、リスト選択画面ＤＩＳＰ２でＡｒｔｉｓｔｓを選択したときの画面の遷移を示す図である。
【図８】図８は、リスト選択画面ＤＩＳＰ２でＧｅｎｒｅｓを選択したときの画面の遷移を示す図である。
【図９】図９は、リスト選択画面ＤＩＳＰ２でＲａｔｉｎｇを選択したときの画面の遷移を示す図である。
【図１０】図１０は、リスト選択画面ＤＩＳＰ２でＹｅａｒ  ｏｆ  Ｒｅｌｅａｓｅを選択したときの画面の遷移を示す図である。
【図１１】図１１は、リスト選択画面ＤＩＳＰ２でＮｅｗ  Ｔｒａｃｋｓを選択したときの画面の遷移を示す図である。
【図１２】図１２は、楽曲再生画面ＤＩＳＰ２０を示す図である。
【図１３】図１３は、十字キー２７を介した操作による楽曲再生画面ＤＩＳＰ２０の画面の遷移を示す図である。
【図１４】図１４は、第１実施形態のリスト画面の一例を示す図である。
【図１５】図１５は、複数のリストのグループ化の一例を示す図である。
【図１６】図１６は、ＣＰＵ１４がリストのグループ化を行う際のアルゴリズムを示すフローチャートである。
【図１７】図１７は、グループ化されたリストの終端の表示方法の一例を示す図である。
【図１８】図１８は、グループ化されたリストの終端の表示方法の一例を示す図である。
【図１９】図１９は、イニシャルの数によるグループ分けの一例を示す図である。
【図２０】図２０は、本実施形態のイニシャルサーチ画面ＤＩＳＰ２１〜ＤＩＳＰ２４の一例を示す図である。
【図２１】図２１は、日本語イニシャルサーチ画面の変形例を示す図である。
【図２２】図２２は、日本語リスト画面の一例を示す図である。
【図２３】図２３は、日本語リスト画面での行と行との境目における操作と表示画面の切り替わりを説明するための図である。
【図２４】図２４は、韓国語リスト画面の一例を示す図である。
【図２５】図２５は、携帯型オーディオプレーヤ１ｃの動作例を示すフローチャートである。
【符号の説明】
【００７８】
１、１ａ、１ｂ、１ｃ…携帯型オーディオプレーヤ、１０…データ線、１１…ヘッドホン端子、１２…オーディオ再生装置、１３…ＬＣＤパネル、１４、１４ａ、１４ｂ、１４ｃ…ＣＰＵ、１５…入力デバイス、１６…ＳＤＲＡＭ、１７…フラッシュメモリ、１８…ＨＤＤ、２２…ＨＯＬＤキー、２３…音量調節ダイヤル、２４…早送りキー、２５…再生・一時停止キー、２６…巻き戻しキー、２７…十字キー、２７ａ…十字上キー、２７ｂ…十字左キー、２７ｃ…十字下キー、２７ｄ…十字右キー、２７ｅ…ＥＮＴＥＲキー、２８…ＢＡＣＫキー、２９…ＶＩＥＷキー、３０…ＭＥＮＵキー、３１…言語選択アイコン、３２…イニシャル選択アイコン、３３…属性選択アイコン、３４…行選択アイコン、３５…母音選択アイコン
【図１】
2007058251.tif 000003
【図２】
2007058251.tif 000004
【図３】
2007058251.tif 000005
【図４】
2007058251.tif 000006
【図５】
2007058251.tif 000007
【図６】
2007058251.tif 000008
【図７】
2007058251.tif 000009
【図８】
2007058251.tif 000010
【図９】
2007058251.tif 000011
【図１０】
2007058251.tif 000012
【図１１】
2007058251.tif 000013
【図１２】
2007058251.tif 000014
【図１３】
2007058251.tif 000015
【図１４】
2007058251.tif 000016
【図１５】
2007058251.tif 000017
【図１６】
2007058251.tif 000018
【図１７】
2007058251.tif 000019
【図１８】
2007058251.tif 000020
【図１９】
2007058251.tif 000021
【図２０】
2007058251.tif 000022
【図２１】
2007058251.tif 000023
【図２２】
2007058251.tif 000024
【図２３】
2007058251.tif 000025
【図２４】
2007058251.tif 000026
【図２５】
2007058251.tif 000027